(57)【要約】      （修正有）【課題】光ピックアップユニットを備えたディスク装置であって、特別な防塵用カバー部材を用いないで光ピックアップユニット内部にホコリやゴミが侵入しないようにカバーをしたディスク装置の提供。【解決手段】光ピックアップユニット２１はガイドシャフト２２ａ，２２ｂに支持される支持部２３ａ，２３ｂを設けて空間を内部に形成したフレーム３２を有し、このフレーム内部には対物レンズ２６及び該対物レンズ２６の位置をフォーカス方向とトラッキング方向へ移動するためのアクチュエータ２８及びその他の部品を収容する。そしてフレーム３２の上端には制御基板の中継として機能する基板２９を取付けて空間３０を塞ぎ、対物レンズ２６の位置には開口３１を設ける。【選択図】図１
2006155732.tif 000002
【特許請求の範囲】
【請求項１】
発光素子から出力される光をハーフミラー及び対物レンズを介してディスク記録面に照射し、その反射光を再び対物レンズ、ハーフミラーを介して受光素子へ導き入れ、これを電気信号に変換する光ピックアップユニットを備えたディスク装置において、光ピックアップユニットはガイドシャフトに支持される支持部を設けて空間を内部に形成したフレームを有し、このフレーム内部には上記対物レンズ及び該対物レンズの位置をフォーカス方向とトラッキング方向へ移動するためのアクチュエータ及びその他の部品を収容し、そしてフレームの上端には回路基板を取付けて空間を塞ぎ、対物レンズの位置には開口を設けたことを特徴とする光ピックアップユニットを備えたディスク装置。
【請求項２】
上記基板には制御基板と接続する為のハンダショート部を設けた請求項１記載の光ピックアップユニットを備えたディスク装置。
【発明の詳細な説明】
【技術分野】
【０００１】
本発明はディスクに記録されている情報を読み取り、又はディスクに情報を記録する為の光ピックアップユニットを備えたディスク装置に関するものである。
【背景技術】
【０００２】
本発明が対象とする光ピックアップユニットを備えたディスク装置では、ディスクをターンテーブルに装着して回転することで記録・再生が行われる。一般に、ディスク装置の正面に設けた開口から出入りするトレイにディスクをセットして装置内へ搬入し、該ディスクはトラバースユニットの上昇によってターンテーブルに装着され、そしてターンテーブルとクランパーとの間に挟まれて回転し、ディスクの回転と共に光ピックアップが移動して情報の記録・再生が行われる。
【０００３】
又、ディスク装置正面に設けた開口からディスクを直接挿入することで、装置内に設けている引き込み装置により引き込まれてターンテーブルに装着することも出来る。この引き込み装置にも色々あり、開口奥の両側にベルトを取付けてディスクを挟み、該ベルトの走行と共にディスクを引き込んだり、回転ローラーを装着してディスクを挟み、該ローラーの回転と共に装置内へ引き込むように構成したディスク装置も知られている。
【０００４】
ところで、ターンテーブルはトラバースユニットに装着されていて、ディスクが装置内の再生位置に搬入されたところで該トラバースユニットが上昇することによりターンテーブル上にディスクが載置される。そしてトラバースユニットにはターンテーブルの他に光ピックアップユニットも装着され、スピンドルモーターにて回転するディスクの記録情報を読み取り、又該ディスクに情報を記録することが出来る。この場合、上記光ピックアップユニットはトラバースユニットに設けているガイドシャフトに沿って移動することが出来るように成っている。
【０００５】
図２は従来の一般的なディスク装置の平面図を表しており、光ピックアップユニット１は両ガイドシャフト２，２に取付けられている。そして、モーター３の回転にてラック４が移動し、該ラック４と共に光ピックアップユニット１はガイドシャフト２，２に沿って移動することが出来るように構成されている。同図に示すディスク装置ではトレイ１３が搬出されているが、該トレイ１３にディスクをセットして搬入し、トラバースユニット１４に設けているターンテーブル１５に該ディスクが載置される。
【０００６】
図３は従来の光ピックアップユニット１の平面図と縦断面図を示している。光ピックアップユニット１は、発光素子５であるレーザーダイオードの光をディスクの記録面に当て、その反射光を検出して該ディスクに記録されている情報を電気信号に変換することが出来るように構成している。発光素子５から出力された光が光ピックアップユニット１内部に設置したハーフミラー６で反射し、同じく光ピックアップユニット１内部に設置した対物レンズ７を通ってディスクの記録面に当る。そして、ディスクの記録面に当った光は反射して再び対物レンズ７を通り、ハーフミラー６を通り抜けて受光素子１２に入る。そして、該受光素子１２では光が電気信号に変換される。
【０００７】
上記発光素子５は、ＤＶＤやＣＤ等のディスクから情報を読み取る為に光を発生するが、ＤＶＤの場合であればその波長は６５０ｎｍであり、ＣＤの場合であれば７８０ｎｍの波長が使用されている。そして、上記対物レンズ７をフォーカス方向(垂直方向)とトラッキング方向(ディスクの半径方向)へ適度に移動させ、発光素子５から出力された光がディスクの記録面を正確になぞることが出来るようにアクチュエータ８を備えている。
【０００８】
そして、発光素子５によってディスクの記録面から読み取った情報を電気信号に変換し、変換した電気信号を別途ディスク装置の制御基板へとケーブルを介して送る為の中継用の基板９を光ピックアップユニット１に取付けている。又、該基板９はアクチュエータ８の駆動や発光素子５の発光に要する電圧供給の中継をも兼ねている。
【０００９】
このように、ディスク装置では上記光ピックアップユニット１は重要な心臓部であり、その為にディスクに対して光を照射する開口１１を形成した防塵用カバー部材１０を取付け、上記対物レンズ７を移動・調整するアクチュエータにホコリやゴミが侵入することを防止している。該防塵用カバー部材１０は樹脂製部品であり、製作に当たっては特別な金型を用いて成形し、これを光ピックアップユニット１に取付けているが、その分だけコストが高く成っている。
【００１０】
特開平７−２６２５８９号に係る「光学ピックアップ」は、防塵対策を確実に且つ容易に行うことが出来、光学系や電気系に塵やゴミなどのダストが付着するのを防止して性能劣化を防ぐことが出来る光学ピックアップである。そこで、該光学ピックアップは開口部分を覆う防塵用のカバーと、内部に配置されている部材を調整する為に設けられた穴と、防塵用のカバーの取付け用の穴とを覆う為のフレキシブルプリント基板とを備えている。
【特許文献１】特開平７−２６２５８９号に係る「光学ピックアップ」
【発明の開示】
【発明が解決しようとする課題】
【００１１】
このように従来のディスク装置に装着されている光ピックアップユニットには、別部材である防塵用カバー部材が用いられている。本発明が解決しようとする課題はこの問題点であり、特別な防塵用カバー部材を用いないで光ピックアップユニットにホコリやゴミが侵入しないようにしたディスク装置を提供する。
【課題を解決するための手段】
【００１２】
本発明に係るディスク装置を構成する光ピックアップユニットの基本構造は従来と同じである。すなわち、光ピックアップユニットは、ガイドシャフトに支持されるフレームと、ディスクに照射する光を発生する発光素子と、この発光素子の光をディスクに照射する時とディスクから反射した時とで軌道を変更する為のハーフミラーと、ディスクの記録面へ光を照射したり或いはディスクから反射した光を取り込む対物レンズと、光がディスクの記録面を正確になぞることが出来るように該対物レンズを移動させるアクチュエータと、ディスクから反射した光を受けて電気信号に変換する受光素子と、これら発光素子、アクチュエータ、受光素子の電気信号を中継する為の基板を主要構成部品としている。
【００１３】
そして、本発明では従来のような特別な防塵用カバー部材を用いることなく、上記中継用基板を防塵用カバーとして機能させる為にフレーム上端に取付けてフレームの内部空間を塞ぐように取付けている。上記光ピックアップユニットの主要部品をフレーム内に収容し、フレーム上端に基板を取付けて塞ぐ構造としている。しかし、上記対物レンズの位置には開口を形成している。又、上記基板にはディスク装置の制御を行う制御基板とケーブルでもって接続する際にハンダにてショートさせる部分を設けている。
【発明の効果】
【００１４】
本発明に係るディスク装置では、フレームの外周に設けた側壁の高さを比較的高くし、光ピックアップユニットの主要構成部品である発光素子、対物レンズ、及び該対物レンズを動かすアクチュエータなどを内部に収容し、そして側壁上端に基板を取付けている。従って、フレームに主要構成部品を収容した状態で基板にて蓋をした構造と成り、内部にホコリやゴミが侵入することを防止できる。
【００１５】
すなわち、基板を防塵用カバー部材として機能させることが出来、従来のような特別な防塵用カバー部材を製作すると共にそれを取付ける必要がない為に、その分だけコストダウンを図ることが出来る。一方、光ピックアップユニットの上部に基板が配置されることに成り、ハンダショートの部分がディスク装置の上部に位置する為に、光ピックアップユニットのハンダショート作業を容易に行うことが出来る。従って、ディスク装置の光ピックアップユニットと制御基板との接続作業を迅速に行うことが可能と成り、ディスク装置或いは制御基板の組付け作業や交換作業の時間短縮が可能と成る。
【実施例】
【００１６】
図１は本発明に係るディスク装置の光ピックアップユニット２１を示す実施例であり、(ａ)は平面図、(ｂ)は縦断面図を夫々表している。該光ピックアップユニット２１はトラバースユニットの一部として構成され、トラバースシャーシに設けている２本のガイドシャフト２２ａ，２２ｂに取付けられてスライド可能と成っている。光ピックアップユニット２１のフレーム３２の両側には支持部２３ａ，２３ｂ，２３ｂが設けられ、これら支持部２３ａ，２３ｂ，２３ｂが上記ガイドシャフト２２ａ，２２ｂに位置決め支持されている。
【００１７】
光ピックアップユニット２１のフレーム３２内にはレーザーダイオードから成る発光素子２４を有し、該発光素子２４から出力される光をディスクの記録面に当て、その反射光を検出して該ディスクに記録されている情報を電気信号に変換することが出来るように構成している。又、フレーム３２内にはハーフミラー２５が設けられ、上記発光素子２４から出力された光はハーフミラー２５で反射し、同じくフレーム３２内部に設置した対物レンズ２６を通ってディスクの記録面に当る。
【００１８】
そして、ディスクの記録面に当った光は反射して再び対物レンズ２６を通り、上記ハーフミラー２５を通り抜けて受光素子２７に入り、該受光素子２７では光が電気信号に変換される。ここで、上記ハーフミラー２５は発光素子２４からの光が反射して対物レンズ２６へ送られ、逆にディスクの記録面からの反射光は対物レンズ２６からハーフミラー２５を通過して受光素子２７へ導かれる。
【００１９】
ところで、上記対物レンズ２６から照射される光は、ディスク回転と共にその記録面を正確になぞることが必要であり、該対物レンズ２６はフォーカス方向(垂直方向)とトラッキング方向(ディスクの半径方向)に適度に移動することが出来る構造と成っている。その為にアクチュエータ２８を備え、該アクチュエータ２８の動作によって照射光が記録面をなぞることが出来るように上記対物レンズ２６が正確に移動する。
【００２０】
そして、受光素子２７によってディスクの記録面から読み取った情報を電気信号に変換し、変換した電気信号を別途ディスク装置の制御基板へとケーブルを介して送る為の中継用の基板２９をフレーム３２の上端にネジ止めにて取付けている。従って、該基板２９はフレーム３２の内部空間３０を塞いで、空間内にホコリやゴミが侵入しないようにカバーとしても機能することが出来る。
【００２１】
この基板２９は制御基板への中継として、またアクチュエータ２８の駆動や発光素子２４の発光に要する電圧供給の中継としての役目を果たし、光ピックアップユニット２１の構成部品としてなくてはならないものであるが、この基板２９は防塵用カバー部材としての役割を果たしている。しかし、対物レンズ２６の箇所には開口３１を形成し、対物レンズ２６からの光がディスクの記録面に照射され、又逆にディスクの記録面に当って反射した光が対物レンズ２６へ戻ることが出来る。
【００２２】
そして、該基板２９には２個のハンダショート部３０ａ，３０ｂが設けられている。従って、別の制御基板と該基板２９とを接続するに際してハンダショート作業を行う場合、上記ハンダショート部３０ａ，３０ｂを使用することが出来る。
【図面の簡単な説明】
【００２３】
【図１】ディスク装置の光ピックアップユニットで、(ａ)は平面図、(ｂ)は縦断面図。
【図２】ディスク装置。
【図３】従来の光ピックアップユニットで、(ａ)は平面図、(ｂ)は縦断面図。
【符号の説明】
【００２４】
21  光ピックアップユニット
22  ガイドシャフト
23  支持部
24  発光素子
25  ハーフミラー
26  対物レンズ
27  受光素子
28  アクチュエータ
29  基板
30  ハンダショート部
31  開口
32  フレーム
【図１】
2006155732.tif 000003
【図２】
2006155732.tif 000004
【図３】
2006155732.tif 000005